(57)【要約】      （修正有）【課題】模倣品として製造しにくい偽造防止貼付体を提供する。【解決手段】印刷層の少なくとも一部に形成した第１の印刷領域２は、第１の画像情報４及び第２の画像情報５を構成する画像印刷領域１０〜１２とその背景印刷領域１３とから構成され、第１の画像情報４を構成する画像印刷領域１０，１２には、金属を含む光輝性材料によって基材表面を１００％の第１の隠蔽率で隠蔽する第１隠蔽層を形成するとともに、第２の画像情報５を構成する画像印刷領域１１及び背景印刷領域１３には、光輝性材料によって基材表面を９０％の第２の隠蔽率で隠蔽する第２隠蔽層を形成し、さらに、前記画像印刷領域１０，１２及び背景印刷領域１３には、光輝性材料に比較して可視光吸収性の高い色材料によって隠蔽層を２５％の第３の隠蔽率で隠蔽する第３隠蔽層を形成した。【選択図】図１
2008139557.tif 000002
【特許請求の範囲】
【請求項１】
基材の一方の面に印刷層を、他方の面に接着層を設けた偽造防止貼付体において、
前記印刷層の少なくとも一部に第１の印刷領域を形成し、
該第１の印刷領域は、第１の画像情報及び該第１の画像情報とは異なる第２の画像情報を構成する画像印刷領域と、前記第１の画像情報及び前記第２の画像情報の背景を構成する背景印刷領域と、から構成され、
前記第１の画像情報または前記第２の画像情報のうち一方を構成する画像印刷領域には、金属を含んだ光輝性材料によって基材表面を９０〜１００％の範囲内の第１の隠蔽率で隠蔽する隠蔽層を形成するとともに、他方を構成する画像印刷領域及び前記背景印刷領域には、前記光輝性材料によって基材表面を７０〜９０％の範囲内の前記第１の隠蔽率とは異なる第２の隠蔽率で隠蔽する隠蔽層を形成し、
さらに、前記一方を構成する画像印刷領域及び前記背景印刷領域には、前記光輝性材料に比較して可視光吸収性の高い色材料によって隠蔽層を１５〜３０％の範囲内の第３の隠蔽率で隠蔽する隠蔽層を形成した、
ことを特徴とする偽造防止貼付体。
【請求項２】
基材の一方の面に印刷層を、他方の面に接着層を設けた偽造防止貼付体において、
前記印刷層の少なくとも一部に第１の印刷領域を形成し、
該第１の印刷領域は、第１の画像情報及び該第１の画像情報とは異なる第２の画像情報を構成する画像印刷領域と、前記第１の画像情報及び前記第２の画像情報の背景を構成する背景印刷領域と、から構成され、
前記第１の画像情報または前記第２の画像情報のうち一方を構成する画像印刷領域及び背景印刷領域には、金属を含んだ光輝性材料によって基材表面を９０〜１００％の範囲内の第１の隠蔽率で隠蔽する隠蔽層を形成するとともに、他方を構成する画像印刷領域には、前記光輝性材料によって基材表面を７０〜９０％の範囲内の前記第１の隠蔽率とは異なる第２の隠蔽率で隠蔽する隠蔽層を形成し、
さらに、前記他方を構成する画像印刷領域及び前記背景印刷領域には、前記光輝性材料に比較して可視光吸収性の高い色材料によって隠蔽層を１５〜３０％の範囲内の第３の隠蔽率で隠蔽する隠蔽層を形成した、
ことを特徴とする偽造防止貼付体。
【請求項３】
前記印刷層に、前記第１の印刷領域とは別個に第２の印刷領域を形成し、
前記第２の印刷領域は、第３の印刷領域と、該第３の印刷領域よりも面積が小さい第４の印刷領域と、から構成され、
前記第４の印刷領域は、
赤外線吸収性色素を含むブラックインキで構成されたブラックインキ印刷領域と、
赤外線吸収性色素を含まないインキを用いて構成された黒色系である非ブラックインキ印刷領域と、
を含み、前記第４の印刷領域におけるブラックインキ印刷領域と非ブラックインキ印刷領域との比率に応じて、複数の第４の印刷領域における非ブラックインキ印刷領域の領域により第３の画像情報を構成した、
ことを特徴とする請求項１または２に記載の偽造防止貼付体。
【請求項４】
前記第１の画像情報または前記第２の画像情報と前記第３の画像情報との組み合わせにより１つの文字情報が構成される、
ことを特徴とする請求項３に記載の偽造防止貼付体。
【請求項５】
前記偽造防止貼付体は、脆質基材からなる、
ことを特徴とする請求項１〜４のいずれかに記載の偽造防止貼付体。
【発明の詳細な説明】
【技術分野】
【０００１】
本発明は、各種媒体の偽造、変形防止を図るために、これらの媒体に貼付して真偽判別を行うことができ、特にブランドプロテクション等に用いられる偽造防止貼付体に関するものである。
【背景技術】
【０００２】
近年、知的財産を侵害する粗悪な模倣品被害が大きな社会問題となっている。そこで、模倣品対策として、真正品であることを証明するための認証ラベルを真正品又はそのパッケージに貼り付けることが広く知られている。この認証ラベルには、例えば、特殊インク、ホログラム、磁気記録等、多くの偽造防止手段が施されている（例えば、特許文献１〜３参照）。
【０００３】
また、不正に剥離したことが判定できる密閉シールとしては、剥離する際の応力によって容易に破壊する脆性シートを密封シール用の基材シートとして用いたものや、剥離した後は再貼着できない特殊な接着剤を用いたものなどがあり、これら従来の密封シールは、剥離した後に再封しようとしてもシールが破壊されていて再封は困難であり、剥離した痕跡を外から外観的に容易に判定できる（例えば、特許文献４参照）。
【０００４】
また、光の干渉を用いて立体画像を再生し得るホログラムは、高度な製造技術を要するものの、シール、箔等の形態に作成可能であるので、これを、物品の表面に貼着し、その有無により物品が真正品であるか、不正品であるかを判定する手段として使われている。
【０００５】
また、このような物品に貼着したホログラムを剥がし、再貼着する悪用がされないように、支持層とホログラム層あるいはこれらの間に設けた剥離層と支持層又はホログラム層で剥離するホログラム脆性シールや、支持層とホログラム形成層との間にパターン状の剥離層を形成しておき、支持層とホログラム形成層が剥離するホログラム脆性シールがある（例えば、特許文献５参照）
【０００６】
【特許文献１】特開平１０−２０４３６３号公報
【特許文献２】特開２０００−２９３１０８号公報
【特許文献３】特開２００２−７２８８９号公報
【特許文献４】特開平０７−０８９２９３号公報
【特許文献５】実公平０５−０４８２１０号公報
【発明の開示】
【発明が解決しようとする課題】
【０００７】
しかしながら、上記特許文献１〜３によると、真正品から認証ラベル又は密封シールを剥がすことに成功しさえすれば、その認証ラベルを模倣品に再貼り付けすることにより、不正行為が容易になされるという問題があった。
【０００８】
上記のような認証ラベル又は密封シールにおいては、該ラベル又はシールに外観的に似せた模倣品や類似品は比較的にその製造が容易であると云った欠点があり、剥離した後にその模倣品を使って再密封された場合などは、ラベル又はシールが模倣品であるか否かを外観的に判定することは困難で、それを再度剥離して正しいラベル又はシールであることを確認する必要があり、したがって剥離した事実をそのまま直ちに知ることが容易でなく、不正剥離や不正開封に対する即応的な発見が困難な場合がある。
【０００９】
また、最近、真正なホログラムに感材を密着させ、ホログラム像を転写する、いわゆるデットコピーにより偽造ホログラムを作成し、それを不正品に接着する事件も発生している。
【００１０】
しかしながら、こうした偽造防止策は、高額な機能性材料が必要なため、生産コスト面において、経済性に見合う製品にしか付与することができなかった。
【００１１】
本発明は、一般の商業印刷で使用されているインキ等の材料を用いて、可視及び不可視画像を生成し、現在の写真製版装置では複製が不可能であり、特殊鑑定装置等を用いないかぎり画像を認識することができない不可視画像を付与し、かつ、光輝性の画像を安価に付与することにより、模倣品として製造しにくい偽造防止貼付体を提供するものである。
【課題を解決するための手段】
【００１２】
前記課題を解決するために、本発明の請求項１に記載の偽造防止貼付体は、
基材の一方の面に印刷層を、他方の面に接着層を設けた偽造防止貼付体において、
前記印刷層の少なくとも一部に第１の印刷領域を形成し、
該第１の印刷領域は、第１の画像情報及び該第１の画像情報とは異なる第２の画像情報を構成する画像印刷領域と、前記第１の画像情報及び前記第２の画像情報の背景を構成する背景印刷領域と、から構成され、
前記第１の画像情報または前記第２の画像情報のうち一方を構成する画像印刷領域には、金属を含んだ光輝性材料によって基材表面を９０〜１００％の範囲内の第１の隠蔽率で隠蔽する隠蔽層を形成するとともに、他方を構成する画像印刷領域及び前記背景印刷領域には、前記光輝性材料によって基材表面を７０〜９０％の範囲内の前記第１の隠蔽率とは異なる第２の隠蔽率で隠蔽する隠蔽層を形成し、
さらに、前記一方を構成する画像印刷領域及び前記背景印刷領域には、前記光輝性材料に比較して可視光吸収性の高い色材料によって隠蔽層を１５〜３０％の範囲内の第３の隠蔽率で隠蔽する隠蔽層を形成した、
ことを特徴としている。
この特徴によれば、第１の画像印刷領域（一方の画像印刷領域）に光輝性材料によって第１の隠蔽率（例えば１００％）で隠蔽された隠蔽層が形成され、背景領域及び第２の画像印刷領域（他方の画像印刷領域）、つまり第１の画像印刷領域以外の領域に光輝性材料によって第２の隠蔽率（例えば９０％）で隠蔽された隠蔽層が形成されるとともに、背景領域及び第１の画像印刷領域、つまり第２の画像印刷領域以外の領域に可視光吸収性の高い色材料によって第３の隠蔽率（例えば２５％）で隠蔽された隠蔽層が形成されることで、拡散光領域において第１の画像情報のみが認識され、正反射光領域において第２の画像情報のみが認識され、かつ、赤外線照射時には第１の画像情報のみが認識される。
【００１３】
本発明の請求項２に記載の偽造防止貼付体は、
基材の一方の面に印刷層を、他方の面に接着層を設けた偽造防止貼付体において、
前記印刷層の少なくとも一部に第１の印刷領域を形成し、
該第１の印刷領域は、第１の画像情報及び該第１の画像情報とは異なる第２の画像情報を構成する画像印刷領域と、前記第１の画像情報及び前記第２の画像情報の背景を構成する背景印刷領域と、から構成され、
前記第１の画像情報または前記第２の画像情報のうち一方を構成する画像印刷領域及び背景印刷領域には、金属を含んだ光輝性材料によって基材表面を９０〜１００％の範囲内の第１の隠蔽率で隠蔽する隠蔽層を形成するとともに、他方を構成する画像印刷領域には、前記光輝性材料によって基材表面を７０〜９０％の範囲内の前記第１の隠蔽率とは異なる第２の隠蔽率で隠蔽する隠蔽層を形成し、
さらに、前記他方を構成する画像印刷領域及び前記背景印刷領域には、前記光輝性材料に比較して可視光吸収性の高い色材料によって隠蔽層を１５〜３０％の範囲内の第３の隠蔽率で隠蔽する隠蔽層を形成した、
ことを特徴としている。
この特徴によれば、第１の画像印刷領域（一方の画像印刷領域）に光輝性材料によって第２の隠蔽率（例えば９０％）で隠蔽された隠蔽層が形成され、背景領域及び第２の画像印刷領域（他方の画像印刷領域）、つまり第１の画像印刷領域以外の領域に光輝性材料によって第１の隠蔽率（例えば１００％）で隠蔽された隠蔽層が形成されるとともに、背景領域及び第１の画像印刷領域、つまり第２の画像印刷領域以外の領域に可視光吸収性の高い色材料によって第３の隠蔽率（例えば２５％）で隠蔽された隠蔽層が形成されることで、拡散光領域において第２の画像情報のみが認識され、正反射光領域において第１の画像情報のみが認識され、かつ、赤外線照射時には第２の画像情報のみが認識される。
尚、請求項１，２において、前記金属を含んだ光輝性材料とは、金属を含む材料であればよく、例えばアルミ粉を成分とした銀インキや真鍮粉を成分とした金インキ等の種々の材料（インキ）を含む。
【００１４】
本発明の請求項３に記載の偽造防止貼付体は、請求項１または２に記載の偽造防止貼付体であって、
前記印刷層に、前記第１の印刷領域とは別個に第２の印刷領域を形成し、
前記第２の印刷領域は、第３の印刷領域と、該第３の印刷領域よりも面積が小さい第４の印刷領域と、から構成され、
前記第４の印刷領域は、
赤外線吸収性色素を含むブラックインキで構成されたブラックインキ印刷領域と、
赤外線吸収性色素を含まないインキを用いて構成された黒色系である非ブラックインキ印刷領域と、
を含み、前記第４の印刷領域におけるブラックインキ印刷領域と非ブラックインキ印刷領域との比率に応じて、複数の第４の印刷領域における非ブラックインキ印刷領域の領域により第３の画像情報を構成した、
ことを特徴としている。
この特徴によれば、赤外線反射表示装置等により観察した場合に、前記第１の画像情報及び前記第２の画像情報とは別個に印刷された第３の画像情報が認識される。
【００１５】
本発明の請求項４に記載の偽造防止貼付体は、請求項３に記載の偽造防止貼付体であって、
前記第１の画像情報または前記第２の画像情報と前記第３の画像情報との組み合わせにより１つの文字情報が構成される、
ことを特徴としている。
この特徴によれば、赤外線反射表示装置等により観察した場合にのみ、１つの文字情報を認識することができる。
【００１６】
本発明の請求項５に記載の偽造防止貼付体は、請求項１ないし４のいずれかに記載の偽造防止貼付体であって、
前記偽造防止貼付体は、脆質基材からなる、
ことを特徴としている。
この特徴によれば、剥離したときに偽造防止貼付体が破壊されるため、再生が困難となる。
【発明を実施するための最良の形態】
【００１７】
本発明に係る偽造防止貼付体を実施するための最良の形態を実施例に基づいて以下に説明する。
【実施例１】
【００１８】
本発明の実施例を図面に基づいて説明すると、先ず図１は、本発明の実施例１における偽造防止貼付体を示す図であり、（ａ）は偽造防止貼付体における各印刷領域を示す正面図であり、（ｂ）はラベル１を示す断面図であり、図２は、（ａ）は拡散光領域における画像情報の視認状況を示す図であり、（ｂ）は正反射光領域における画像情報の視認状況を示す図であり、図３は、赤外線照射時における画像情報の視認状況を示す図であり、図４は、ラベルを観察するときの照明光源と視点とラベルとの位置関係を示す図である。
【００１９】
図１には、本発明の実施例１としての偽造防止貼付体であるセキュリティー用ラベル（以下、ラベル１と略称する）１が示されている。該ラベル１は、図１に示されるように、表面に後述する印刷層が形成される表面基材１ａと、該表面基材１ａの裏面に形成される粘着層１ｂと、該粘着層１ｂの裏面に貼着される剥離材１ｃと、から構成されており、剥離材１ｃを剥離して粘着層１ｂを図示しない被貼着体に当接することで、該被貼着体に貼着することができるようになっている。
【００２０】
本実施例における表面基材１ａは、厚さが約５０μｍの脆質性を有する白色ポリ塩化ビニルフィルムからなり、粘着層１ｂは、アクリル系溶剤型粘着剤からなり、剥離材１ｃは、グラシン紙の片面に剥離処理を施したものからなる。
【００２１】
尚、本実施例においては、表面基材１ａ、粘着層１ｂ、剥離材１ｃの材質等は上記材質に限定されるものではなく、適宜変更可能であるが、特に表面基材１ａ及び粘着層１ｂは、図示しない被貼着体に貼着した後、剥離しようとする際において、表面に印刷層が形成された表面基材１ａが破壊されて再度貼着することが不可能な状態に貼着される性質、つまり脆弱性を有していることが好ましく、このようにラベル１を脆弱性を有する材質にて構成することで、ラベル１を被貼着体から剥離して不正に複製すること困難となるとともに、剥離した際に破壊された痕跡が残り、ラベル１が剥離されたこと、すなわち不正行為が行われた可能性があることを早期に発見できるため、不正行為を効果的に防止することができる。
【００２２】
表面基材１ａの表面中央には、ラベル１を観察する視点の角度を拡散光領域から正反射光領域へ変化させることによって、視認性情報が非視認性情報に変化する第１の画像情報４（「証」を示す文字情報）及び第２の画像情報５（「ＯＫ」を示す文字情報）が印刷された円形状の第１の印刷領域２が形成されるとともに、その周囲には、第３の画像情報６Ｌ，６Ｒ（草花を示す画像情報）及び第４の画像情報７Ｌ，７Ｒ（「証」を示す文字情報７Ｌ，「明」を示す文字情報７Ｒ）が印刷された第２の印刷領域３が形成されている。
【００２３】
まず、第１の印刷領域２の詳細について説明すると、第１の印刷領域２は、互いに一部が重なり合うように配置された第１の画像情報４及び第２の画像情報５を構成する画像印刷領域１０〜１２と、該画像印刷領域１０〜１２の背景（周囲）を構成する背景印刷領域１３と、から構成されている。
【００２４】
より詳しくは、第１の画像情報４は、「証」の文字のみを構成する画像印刷領域１０と、「証」及び「ＯＫ」の文字の一部をそれぞれ構成する画像印刷領域１２と、からなる。また、第２の画像情報５は、「ＯＫ」の文字のみを構成する画像印刷領域１１と、「証」及び「ＯＫ」の文字の一部を構成する画像印刷領域１２と、からなる。すなわち、画像印刷領域１２は、「証」及び「ＯＫ」の文字の一部をそれぞれ構成する印刷領域であり、第１の画像情報４と第２の画像情報とは互いの一部が重合した状態で配置されているとともに、これら画像印刷領域１０〜１２及び背景印刷領域１３は、アルミ粉を成分とした銀インキ及び該銀インキに比較して可視光吸収性の高い色材料の一例であるバイオレットインキを用いて、ウェットオフセット印刷によって印刷された領域とされている。
【００２５】
尚、本実施例では、画像印刷領域１０〜１２及び背景印刷領域１３を、アルミ粉を成分とした銀インキ及び該銀インキに比較して可視光吸収性の高い色材料の一例であるバイオレットインキにて印刷しているが、高輝性材料であれば、銀インキの替わりに例えば真鍮粉を成分とした金インキ等を適用してもよいし、また、該銀インキに比較して可視光吸収性の高い色材料であれば、バイオレットインキの替わりに例えば青インキ等の他色インキをてきようしてもよい。
【００２６】
これらのうち画像印刷領域１０は、銀インキにより基材表面１ａをベタ印刷することにより、銀インキにより基材表面１ａを１００％の隠蔽率（第１の隠蔽率）で隠蔽する第１隠蔽層と、バイオレットインキにより前記第１隠蔽層表面を所定の網点面積率で印刷することにより、バイオレットインキにより前記第１隠蔽層表面を２５％の隠蔽率（第３の隠蔽率）で隠蔽する第３隠蔽層と、が形成された領域とされている。
【００２７】
画像印刷領域１１は、銀インキにより基材表面１ａを所定の網点面積率で印刷することにより、銀インキにより基材表面１ａを９０％の隠蔽率（第２の隠蔽率）で隠蔽する第２隠蔽層が形成された領域とされている。
【００２８】
画像印刷領域１２は、銀インキにより基材表面１ａをベタ印刷することにより、銀インキにより基材表面１ａを１００％の隠蔽率（第１の隠蔽率）で隠蔽する第１隠蔽層が形成された領域とされている。
【００２９】
背景印刷領域１３は、銀インキにより基材表面１ａを所定の網点面積率で印刷することにより、銀インキにより基材表面１ａを９０％の隠蔽率（第２の隠蔽率）で隠蔽する第１隠蔽層と、バイオレットインキにより前記第２隠蔽層表面を所定の網点面積率で印刷することにより、バイオレットインキにより前記第２隠蔽層表面を２５％の隠蔽率（第３の隠蔽率）で隠蔽する第３隠蔽層と、が形成された領域とされている。
【００３０】
言い換えると、「証」を示す画像印刷領域１０，１２は、銀インキによりベタ印刷されている。また、「ＯＫ」を示す画像印刷領域１１と背景印刷領域１３、つまり、第１の印刷領域２における「証」を示す画像印刷領域１０，１２以外の全ての領域は、「ＯＫ」を示す画像印刷領域１１を含めて銀インキが網点面積率９０％で印刷されている。
【００３１】
さらに、背景印刷領域１３及び「証」を示す画像印刷領域１０、つまり、第１の印刷領域２における「ＯＫ」を示す画像印刷領域１１以外の全ての領域には、「証」を示す画像印刷領域１０を含めてバイオレットインキが網点面積率２５％で印刷されている。
【００３２】
図４には、拡散光領域及び正反射光領域で観察したときの照明光源２０と視点２１と上記ラベル１の３つの位置関係を図示したものである。照明光源２０と視点２１とラベル１との位置関係が図４（ａ）の状態にあるときには拡散光領域で観察したことになり、照明光源２０と視点２１とラベル１との位置関係が図４（ｂ）の状態にあるときには正反射光領域で観察したことになる。
【００３３】
すなわち、図２には、上記のように構成されたラベル１を前記拡散光領域及び前記正反射光領域で観察したときの観察図が示されている。図２（ａ）で示されるように、拡散光領域で観察した場合には、「証」の文字情報を示す第１の画像情報４のみが観察され、つまり、「ＯＫ」の文字情報を示す第２の画像情報５は潜在化して観察できなくなり、正反射光領域で観察した場合には、「ＯＫ」の文字情報を示す第２の画像情報５のみが観察され、つまり、「証」の文字情報を示す第１の画像情報４は潜在化して観察できなくなる。
【００３４】
このように、光輝性材料である銀インキを用いることによって、基材表面１ａに対する隠蔽率の異なる、すなわち、基材表面１ａ上に適切な隠蔽率の疎密差（１００％と９０％）を持つ２つの第１隠蔽層及び第２隠蔽層が形成されているとき、拡散光領域においては、上記適切な隠蔽率の疎密差を持つ２つの隠蔽層の両者から観察者の目に到達する反射光量は互いに小さくなるため、視覚的に、隠蔽率の疎密差に由来する色調差すなわち濃淡差を容易に認識することが可能になるため、銀インキでベタ印刷された「証」の文字情報を視認することができる（図２（ａ）参照）。
【００３５】
一方、正反射光領域では、上記２つの隠蔽層には、隠蔽率の疎密差が存在しているにも関わらず、上記２つの隠蔽層の両者から観察者の目に到達する反射光量が共に極端に大きくなるため、隠蔽率の疎密差に由来する色調差すなわち濃淡差を視認することが難しくなり、銀インキでベタ印刷された「証」の文字情報を視認することが難しくなる（図２（ｂ）参照）。
【００３６】
また、銀インキを用いて形成された基材表面１ａに対する隠蔽率（１００％，９０％）の極めて密な第１隠蔽層及び第２隠蔽層と、該第１，第２隠蔽層上に、銀インキに比較して可視光吸収性の高い色材料の一例であるバイオレットインキを用いて形成された隠蔽率（２５％）の極めて疎な第３隠蔽層を重ねた隠蔽層の２つの隠蔽層においては、上記拡散光領域において、観察者の目に到達する反射光量は、互いに小さくなるため、構成成分は異なっているにも関わらず、上記２つの隠蔽層からの色調及び光輝性の差を視認することが難しくなり、結果として、同じ程度の刺激として人の目に観察されるため、「ＯＫ」の文字情報を視認することが難しくなる（図２（ａ）参照）。
【００３７】
一方、上記正反射光領域では、上記光輝性材料のみの隠蔽層から観察者の目に到達する反射光量は極端に大きくなるのに対して、上記可視光吸収性の高い色材料であるバイオレットインキを重ねた隠蔽層から観察者の目に到達する反射光量は相対的に小さくなるため、上記２つの隠蔽層では、反射光量の差に由来する明暗差すなわち色調差を容易に視認することが可能になり、「ＯＫ」の文字情報を視認することができる（図２（ｂ）参照）。
【００３８】
すなわち、図２に示されるように、拡散光領域においては「証」を示す第１の画像情報４のみが視認され、正反射光領域においては「ＯＫ」を示す第２の画像情報のみが視認されることになる。
【００３９】
また、「証」の文字情報を構成する画像印刷領域１０，１２は銀インキがベタ印刷されており、「ＯＫ」の文字情報を構成する画像印刷領域１１及び背景印刷領域１３、つまり、第１の印刷領域２における「証」の文字情報を構成する画像印刷領域１０，１２以外の全ての領域は銀インキが網点面積率９０％で印刷されていることにより、赤外線で第１の印刷領域２を照射した際には、図３に示されるように、「証」の文字情報のみが視認できることになる。
【００４０】
すなわち、「ＯＫ」を示す第２の画像情報５は、銀インキによって背景印刷領域１３と同様の網点面積率（９０％）で印刷されていることで、赤外線を照射した際には、背景印刷領域１３と同化して「証」の文字情報の背景となるため、網点面積率９０％で印刷された背景内に、網点面積率１００％（ベタ印刷）された「証」の文字情報のみが、それらの隠蔽率の差によって視認できる。
【００４１】
尚、このように視認性情報が非視認性情報に変化する画像情報を構成する技術としては、本出願人が先に出願し、公開された特開２００１−１２１８０４号公報にて提案されている。
【００４２】
次に、第２の印刷領域３の詳細について説明すると、第２の印刷領域３は、ラベル１の中央に配置された第１の印刷領域２の周囲に形成されており、第１の印刷領域２に向かって左側には、「証」の文字を構成する第３の画像情報７Ｌが印刷されるとともに、草花を示す第４の画像情報６Ｌが印刷されている。また、第１の印刷領域２に向かって右側には、「明」の文字を構成する第３の画像情報７Ｒが印刷されるとともに、草花を示す第４の画像情報６Ｒが印刷されている。
【００４３】
図１中拡大図に示されるように、ｍ×ｍピクセルの第１のハーフトーン領域１５には、複数の円形ドット１５ａで配置された第４の画像情報６Ｌ，６Ｒをシアン（Ｃ）、マゼンタ（Ｍ）、イエロー（Ｙ）の３色で印刷し、ｎ×ｎピクセルの第２ハーフトーン領域には、円形ドット１６ａで配置された第３の画像情報７Ｌ，７Ｒを、赤外線吸収性色素を含むブラック（Ｂｋ）インキ１色で印刷し、該第３の画像情報７Ｌ，７Ｒの周囲の網点１６ｂには、赤外線吸収性色素を含まないシアン（Ｃ）、マゼンタ（Ｍ）、イエロー（Ｙ）の３色ベタを配置した。
【００４４】
このようにすることで、可視の状態、つまり前記拡散光領域及び前記正反射光領域では、第４の画像情報６Ｌ，６Ｒが認識され、「証」及び「明」を示す第３の画像情報７Ｌ，７Ｒが隠蔽されていることを認識するのは困難な状態となる（図２参照）。また、ラベル１に対して赤外線を照射した場合には、第３の画像情報７Ｌ，７Ｒを認識することができる（図３参照）。
【００４５】
つまり、一般の商業印刷で使用されているシアン（Ｃ）、マゼンタ（Ｍ）、イエロー（Ｙ）、ブラック（Ｂｋ）の基本４色インキのうちのブラック（Ｂｋ）は、カーボンブラックを主体とした黒色顔料で、紫外線領域から赤外線領域まで全域にわたり吸収を示す。一般市場において、例えば大日精化工業株式会社製のクロモファインブラックインキなどは、赤外線を吸収しないという特異な性質を活かしたセキュリティー記録材料も存在するが、前記基本４色のうちのシアン（Ｃ）、マゼンタ（Ｍ）、イエロー（Ｙ）を重ね合わせたものが赤外線を吸収しないことを利用すれば、赤外線カメラ等の特殊な鑑定装置を用いて観察した場合において、カーボンブラック含有のブラック（Ｂｋ）インキで印刷された画像のみ視認することができる。
【００４６】
よって、２種類の網点画像（第３の画像情報７Ｌ，７Ｒ及び第４の画像情報６Ｌ，６Ｒ）を同一平面上に均等配置する場合において、一般の商業印刷で使用されているシアン（Ｃ）、マゼンタ（Ｍ）、イエロー（Ｙ）、ブラック（Ｂｋ）の基本４色インキを用いて、可視、不可視画像を生成し、現在の写真製版装置では複製が不可能であり、特殊鑑定装置等を用いないかぎり画像を認識することができない不可視画像を安価に印刷することができる。
【００４７】
以上説明してきたように、本発明の実施例１としてのラベル１にあっては、第１の画像印刷領域１０，１２に銀インキによって第１の隠蔽率（１００％）で隠蔽された第１隠蔽層が形成され、背景印刷領域１３及び第２の画像印刷領域１１、つまり第１の画像印刷領域１０，１２以外の領域に銀インキによって第２の隠蔽率（９０％）で隠蔽された第２隠蔽層が形成されるとともに、背景印刷領域１３及び第１の画像印刷領域１０、つまり第２の画像印刷領域１１以外の領域に可視光吸収性の高い色材料によって第３の隠蔽率（１５％）で隠蔽された第３隠蔽層が形成されることで、拡散光領域において第１の画像情報４のみが認識され、正反射光領域において第２の画像情報５のみが認識され、かつ、赤外線照射時には第１の画像情報４のみが認識される。
【００４８】
このように、ラベル１を観察する視点の角度を拡散光領域と正反射光領域との間で変化させることによって、第１の画像情報４及び第２の画像情報５が、視認状態と非視認（隠蔽）状態との間で変化することになるだけでなく、赤外線を照射した際には、同じ銀インキにより印刷された第１の画像情報４及び第２の画像情報５からなる複数の画像情報全てが視認されるのではなく、それらのうち一方の画像情報のみが視認される。
【００４９】
よって、一般の商業印刷で使用されている１種類の銀インキを、その隠蔽率を異ならせて印刷することで、拡散光領域及び正反射光領域の間で視認状態を変化させるだけでなく、赤外線照射時等においてさらに別個の視認状態を形成することができるため、現在の写真製版装置では複製が不可能であり、特殊鑑定装置等を用いないかぎり画像を認識することができない不可視画像を付与し、かつ、光輝性の画像を安価に付与することにより、模倣品として製造しにくい偽造防止脆性貼付体を構成することができる。
【実施例２】
【００５０】
図５〜図７には、本発明の実施例２としてのラベル３１が示されている。図５は、本発明の実施例２における偽造防止貼付体を示す正面図であり、図６は、（ａ）は拡散光領域における画像情報の視認状況を示す図であり、（ｂ）は正反射光領域における画像情報の視認状況を示す図であり、図７は、赤外線照射時における画像情報の視認状況を示す図である。
【００５１】
前記実施例１においては、第１の画像情報４及び第２の画像情報５は、互いに一部が重合するように配置されていたが、図５に示されるラベル３１に示されるように、第１の画像情報３４である「正」の文字情報と、第２の画像情報３５である「ＯＫ」の文字情報と、が互いに独立状態で配置された状態で印刷されていてもよい。尚、本実施例２において、前記実施例１と同様に構成される部位に関しては、各符号に３０を加算した符号を付すことで、その詳細な説明は省略することとする。
【００５２】
本実施例２において、「正」を示す第１の画像情報３４を構成する画像印刷領域４０は、銀インキにより基材表面１ａをベタ印刷することにより、銀インキにより基材表面１ａを１００％の隠蔽率（第１の隠蔽率）で隠蔽する第１隠蔽層と、バイオレットインキにより前記第１隠蔽層表面を所定の網点面積率で印刷することにより、バイオレットインキにより前記第１隠蔽層表面を２５％の隠蔽率（第３の隠蔽率）で隠蔽する第３隠蔽層と、が形成された領域とされている。
【００５３】
「ＯＫ」を示す第２の画像情報３５を構成する画像印刷領域４１は、銀インキにより基材表面１ａを所定の網点面積率で印刷することにより、銀インキにより基材表面１ａを９０％の隠蔽率（第２の隠蔽率）で隠蔽する第２隠蔽層が形成された領域とされている。
【００５４】
背景印刷領域１３は、銀インキにより基材表面１ａを所定の網点面積率で印刷することにより、銀インキにより基材表面１ａを９０％の隠蔽率（第２の隠蔽率）で隠蔽する第１隠蔽層と、バイオレットインキにより前記第２隠蔽層表面を所定の網点面積率で印刷することにより、バイオレットインキにより前記第２隠蔽層表面を２５％の隠蔽率（第３の隠蔽率）で隠蔽する第３隠蔽層と、が形成された領域とされている。
【００５５】
また、第３の画像情報３７Ｌ，３７Ｒは、「真」の文字情報からなる第３の画像情報３７Ｌと、「品」の文字情報からなる第３の画像情報３７Ｒと、から構成され、前記実施例１と同様に、ブランク（Ｂｋ）インキにより構成されている。
【００５６】
図６には、上記のように構成されたラベル３１を前記拡散光領域及び前記正反射光領域で観察したときの観察図が示されている。図６（ａ）で示されるように、拡散光領域で観察した場合には、「正」の文字情報を示す第１の画像情報３４のみが観察され、つまり、「ＯＫ」の文字情報を示す第２の画像情報３５は潜在化して観察できなくなり、図６（ｂ）で示されるように、正反射光領域で観察した場合には、「ＯＫ」の文字情報を示す第２の画像情報３５のみが観察され、つまり、「正」の文字情報を示す第１の画像情報３４は潜在化して観察できなくなる。
【００５７】
赤外線で第１の印刷領域３２を照射した際には、図７に示されるように、「正」の文字情報のみが視認できることになる。すなわち、「ＯＫ」を示す第２の画像情報３５は、銀インキによって背景印刷領域４３と同様の網点面積率（９０％）で印刷されており、背景印刷領域４３と同化されてしまうため、「正」の文字情報のみが視認できることになる。
【００５８】
さらに赤外線で第１の印刷領域３２及び第２の印刷領域３３双方を照射した際には、図７に示されるように、第３の画像情報３７Ｌ，３７Ｒである「真」「品」と、これらの中央に配置される第１の画像情報４を構成する「正」の文字情報と、が視認できることになり、これら文字情報の組み合わせにより、「真正品」という１つの文字情報（単語）が形成される。
【００５９】
このように、赤外線照射時においてのみ、第１の印刷領域３２と第２の印刷領域３３それぞれに印刷された画像情報を組み合わせることにより所定の文字情報が形成されるようにすることで、模倣品として製造しにくい偽造防止脆性貼付体を構成することができる。
【００６０】
以上、本発明の実施例を図面により説明してきたが、具体的な構成はこれら実施例に限られるものではなく、本発明の要旨を逸脱しない範囲における変更や追加があっても本発明に含まれる。
【００６１】
例えば、前記実施例１，２では、第１，第２，第３の画像情報は文字情報により構成されていたが、画像情報は文字情報に限定されるものではなく、例えば第４の画像情報のような絵柄情報や、あるいは図形、記号等の情報にて構成されていてもよい。また、第４の画像情報６Ｌ，６Ｒを文字情報や図形、記号等の情報としてもよい。
【００６２】
また、前記実施例１，２では、第１の印刷領域２，３２に態様が異なる２種類の画像情報が印刷されていたが、２種類以上の画像情報を配置してもよい。
【００６３】
また、前記実施例１において、画像印刷領域１２には、第１の画像情報４を構成する画像印刷領域１０と同じ銀インキにより同一の隠蔽率（１００％）による第１隠蔽層が形成されていたが、第２の画像情報５を構成する画像印刷領域１１と同じ銀インキにより同一の隠蔽率（９０％）による第２隠蔽層が形成されていてもよい。
【００６４】
また、前記実施例１，２では、第１隠蔽層及び第２隠蔽層の表面に第３隠蔽層が形成されていたが、本発明はこれに限定されるものではなく、第３隠蔽層を表面基材１ａの表面に直接形成するものであってもよい。この場合、例えば第１の印刷領域２内を左右方向に横切る万線を上下方向に複数形成し、各万線に第１隠蔽層と第２隠蔽層を交互に配置するとともに、第３隠蔽層を第１隠蔽層及び第２隠蔽層が配置された万線とは異なる万線上に形成すればよい。
【００６５】
また、前記実施例１，２では、第１隠蔽層の隠蔽率が１００％、第２隠蔽層の隠蔽率が９０％、第３隠蔽層の隠蔽率が２５％とされていたが、第１隠蔽層の隠蔽率は９０〜１００％の範囲内、第２隠蔽層の隠蔽率は７０〜９０％の範囲内、第３隠蔽層の隠蔽率は１５〜３０％の範囲内の所定値であり、かつ、第１隠蔽層及び第２隠蔽層の隠蔽率がそれぞれ異なる隠蔽率であれば、種々に変更可能である。
【００６６】
また、前記実施例１，２では、第１の画像情報４を構成する画像印刷領域１０，１２には、銀インキによって基材表面を１００％の第１の隠蔽率で隠蔽する第１隠蔽層を形成するとともに、第２の画像印刷領域１１及び背景印刷領域１３には、前記銀インキによって基材表面を９０％の第２の隠蔽率で隠蔽する第２隠蔽層を形成し、さらに、画像印刷領域１０，１２及び背景印刷領域１３には、銀インキに比較して可視光吸収性の高いバイオレットインキによって隠蔽層を２５％の第３の隠蔽率で隠蔽する第３隠蔽層を形成していたが、本発明はこれに限定されるものではなく、
第２の画像情報５を構成する画像印刷領域１１には、銀インキによって基材表面を１００％の第１の隠蔽率で隠蔽する第１隠蔽層を形成するとともに、第１の画像印刷領域１０，１２及び背景印刷領域１３には、銀インキによって基材表面を９０％の第２の隠蔽率で隠蔽する第２隠蔽層を形成し、さらに、画像印刷領域１１及び背景印刷領域１３には、銀インキに比較して可視光吸収性の高いバイオレットインキによって隠蔽層を２５％の第３の隠蔽率で隠蔽する第３隠蔽層を形成してもよい。
【００６７】
さらに、第１の画像情報４（または第２の画像情報５）を構成する画像印刷領域１０，１２（または画像印刷領域１１）及び背景印刷領域１３には、銀インキによって基材表面を１００％の第１の隠蔽率で隠蔽する第１隠蔽層を形成するとともに、第２の画像情報５（または第１の画像情報４）を構成する画像印刷領域１１（または画像印刷領域１０，１２）には、銀インキによって基材表面を９０％の第２の隠蔽率で隠蔽する隠蔽層を形成し、さらに、画像印刷領域１１（または画像印刷領域１０，１２）及び背景印刷領域１３には、銀インキに比較して可視光吸収性の高いバイオレットインキによって隠蔽層を２５％の第３の隠蔽率で隠蔽する第３隠蔽層を形成するようにしてもよい。
【図面の簡単な説明】
【００６８】
【図１】本発明の実施例１における偽造防止貼付体を示す図であり、（ａ）は偽造防止貼付体における各印刷領域を示す正面図であり、（ｂ）は偽造防止貼付体を示す断面図である。
【図２】（ａ）は拡散光領域における画像情報の視認状況を示す図であり、（ｂ）は正反射光領域における画像情報の視認状況を示す図である。
【図３】赤外線照射時における画像情報の視認状況を示す図である。
【図４】ラベルを観察するときの照明光源と視点とラベルとの位置関係を示す図である。
【図５】本発明の実施例２における偽造防止貼付体を示す正面図である。
【図６】（ａ）は拡散光領域における画像情報の視認状況を示す図であり、（ｂ）は正反射光領域における画像情報の視認状況を示す図である。
【図７】赤外線照射時における画像情報の視認状況を示す図である。
【符号の説明】
【００６９】
１                  ラベル
１ａ                基材表面
２                  第１の印刷領域
３                  第２の印刷領域
４                  第１の画像情報（証）
５                  第２の画像情報（ＯＫ）
６Ｌ，６Ｒ          第４の画像情報（草花）
７Ｌ，７Ｒ          第３の画像情報（証明）
１０〜１２          画像印刷領域
１３                背景印刷領域
１５                第１のハーフトーン領域
１６                第２のハーフトーン領域
２０                照明光源
２１                視点
【図１】
2008139557.tif 000003
【図２】
2008139557.tif 000004
【図３】
2008139557.tif 000005
【図４】
2008139557.tif 000006
【図５】
2008139557.tif 000007
【図６】
2008139557.tif 000008
【図７】
2008139557.tif 000009